(57)【要約】【課題】インキ吸入の際に、軸筒の前方部をインキ瓶のインキに浸けることなく、ペン体とペン芯だけをインキに浸けた場合でも、インキタンクにインキを効率よく吸入させることができる万年筆を得る。【解決手段】インキ溝７ａが上側面に形成され空気溝７ｂが前方から後方に渡って形成されたペン芯７と、該ペン芯７の上側面に隣設されるペン体６とを、軸筒２の前方開口部３ａに挿着した万年筆１であって、前記ペン芯７の外面の中間部における前記ペン体６と隣接した面を除く全周に突条７ｅが形成され、前記ペン体６及び前記ペン芯７が前記軸筒２の前方開口部３ａに挿着された状態で、前記ペン体６の上側面が前記軸筒２の内周面３ｂに密着し、前記ペン芯７の突条７ｅが圧縮変形されて前記軸筒２の内周面３ｂに密着する。【選択図】図１
2018052069.tif 000002
【特許請求の範囲】
【請求項１】
インキ溝が上側面に形成され空気溝が前方から後方に渡って形成されたペン芯と、該ペン芯の上側面に隣設されるペン体とを、軸筒の前方開口部に挿着した万年筆であって、前記ペン芯の外面の中間部における前記ペン体と隣接した面を除く全周に突条が形成され、前記ペン体及び前記ペン芯が前記軸筒の前方開口部に挿着された状態で、前記ペン体の上側面が前記軸筒の内周面に密着し、前記ペン芯の突条が圧縮変形されて前記軸筒の内周面に密着することを特徴とした万年筆。
【発明の詳細な説明】
【技術分野】
【０００１】
本発明は万年筆に関し、さらに詳細には、ペン芯の後方にインキ吸入器を装着してインキタンク内にインキの吸入を行う万年筆に関する。
【背景技術】
【０００２】
従来より、ペン芯の後方に装着したインキ吸入器を操作することで、インキタンク内へインキを吸入する構造の万年筆は知られている。
例えば、特許文献１では、軸筒内にある塗布液貯留部（インキタンク）で前進したスリーブが後方へ移動することで、液体貯留部（インキタンク）に負圧を生じさせ、インキ瓶のインキ中に没入させた液貯留芯（ペン芯）を介して液体貯留部（インキタンク）にインキを吸入する万年筆が記載されている。
このような万年筆では、インキ吸入の際に、軸筒の前方部までインキ瓶のインキに浸けることで、インキを液体貯留部（インキタンク）に効率よく吸入することができるが、軸筒の前方部が汚れてしまうことになった。また、ペン体及び液貯留芯（ペン芯）だけをインキ瓶のインキ液中に浸けた場合には、液体貯留部（インキタンク）が負圧になった際に、液貯留芯（ペン芯）とその液貯留芯を挿着させた軸筒本体の前方部との間から空気が液体貯留部（インキタンク）に入り込んでしまい、効率よく、インキ吸入を行うことができなくなるという問題が生じた。この問題は、特に、ペン体の反対側における液貯留芯（ペン芯）と軸筒との隙間との間で発生しやすいことが確認できている。
【先行技術文献】
【特許文献】
【０００３】
【特許文献１】特開平１１−２３５５４８号公報
【発明の概要】
【発明が解決しようとする課題】
【０００４】
本発明では、インキ吸入の際に、軸筒の前方部をインキ瓶のインキに浸けることなく、ペン体とペン芯だけをインキに浸けた場合でも、インキタンクにインキを効率よく吸入させることができる万年筆を得ることを目的とする。
【課題を解決するための手段】
【０００５】
本発明は、
「インキ溝が上側面に形成され空気溝が前方から後方に渡って形成されたペン芯と、該ペン芯の上側面に隣設されるペン体とを、軸筒の前方開口部に挿着した万年筆であって、前記ペン芯の外面の中間部における前記ペン体と隣接した面を除く全周に突条が形成され、前記ペン体及び前記ペン芯が前記軸筒の前方開口部に挿着された状態で、前記ペン体の上側面が前記軸筒の内周面に密着し、前記ペン芯の突条が圧縮変形されて前記軸筒の内周面に密着することを特徴とした万年筆。」である。
【０００６】
本発明では、軸筒の内周面を円形状に形成し、ペン芯にペン体を隣設させた状態において双方の表面で構成される外周面も円形状に形成する。ペン芯にペン体を隣接させた状態の外径は軸筒の内径より若干小径に構成し、ペン芯の突条は軸筒の内径より若干大きく形成し、ペン芯にペン体を隣設させた状態で軸筒に挿着させた際に、突条が潰れるように圧縮変形され、ペン体の上側面が軸筒の内周面に密着し、ペン芯の突条が軸筒の内周面に密着できるよう、ペン芯の突条は、前後方向を薄くして軸径方向に変形しやすい形状とする。
【０００７】
前述の通り、軸筒の内周面にペン芯の突条が圧縮変形して密着し、ペン体も軸筒の内周面に密着することで、インキタンク内へインキを吸入する際に、ペン芯と軸筒の前方部との間から空気がインキタンクに入り込むことなく、軸筒の前方部をインキ瓶のインキに浸けずに、効率よくインキを吸入することが可能となる。
【発明の効果】
【０００８】
本発明によれば、インキ吸入の際に、軸筒の前方部をインキ瓶のインキに浸けることなく、ペン体とペン芯だけをインキに浸けた場合でも、インキタンクにインキを効率よく吸入することができる万年筆が得られる。
【図面の簡単な説明】
【０００９】
【図１】図１は、本実施例の万年筆を示す縦断面図である。
【図２】図２は、要部拡大図である。
【図３】図３は、図２のＡ−Ａ線端面図である。
【図４】図４は、ペン芯の斜視図で、図４Ａはペン体側から見た図で、図４Ｂはその反対側から見た図である。
【図５】図５は、インキ瓶よりインキを吸入する状態を示す図である。
【図６】図６は、インキ瓶よりインキを吸入した状態を示す図である。
【発明を実施するための形態】
【００１０】
次に、図面を参照しながら説明を行うが、本発明は以下の実施例に限定されるものではない。
以下、図面を参照して本実施例の万年筆について説明をする。本実施例においては、ペン体がある方を前方と表現し、その反対側を後方と表現する。説明を分かり易くするために、図面中の同様の部材、同様の部分については同じ符号を付してある。
【００１１】
図１は、本実施例の万年筆を示す縦断面図である。図２は、図１の要部拡大図である。図３は、図２のＡ−Ａ線端面図である。図４は、ペン芯の斜視図で、図４Ａはペン体側から見た図で、図４Ｂはその反対側から見た図である。
【００１２】
本実施例の万年筆１は、軸筒２を、首部材３と軸筒本体４と尾冠５とで構成し、首部材３に形成した前方開口部３ａに、ペン体６と、該ペン体６を上側面に隣設させたペン芯７とを挿着してある。首部材３の後部には、外筒部３ｂと内筒部３ｃとを突設しており、内筒部３ｃの内方にはペン芯７の後部が挿着され、外筒部３ｂと内筒部３ｃとの隙間３ｄには、インキ吸入機構８の前端部８ａを挿着してある。
【００１３】
インキ吸入機構８は、インキ収容筒８１と、インキ収容筒８１の内方に形成したインキタンク８１ａの内面に摺動する弁体８２と、弁体８２に形成した後部開口８２ａに嵌着させた押棒８３と、押棒８３の外面に形成した雄螺子部８３ａに螺合する雌螺子部８４ａを形成した回転操作部８４と、インキ収容筒８１の後部に嵌着され回転操作部８４の前方に形成した大径部８４ｂを抜け止め状態で保持する保持筒８５と、保持筒８５の内段８５ａとインキ収容筒８１の後端で挟持された円環状のパッキン８６と、を有している。
【００１４】
ペン芯７は、前記ペン体６を隣接させる上面側に、ペン芯７の前後方向へ延びるインキ溝７ａを形成してあり、空気溝７ｂをペン芯７の前端面７ｃから後端面７ｄに渡って形成してある。空気溝７ｂは、ペン芯７の前方に形成した前方溝７１ｂと、ペン芯７の中間部の下面側に形成した中間溝７２ｂと、ペン芯７の側面に形成した連絡溝７３ｂと、ペン芯７の後方にインキ溝７ａと一体で形成した後方溝７４ｂと、を有している。
前方溝７１ｂは中間溝７２ｂに連通し、中間溝７２ｂは連絡溝７３ｄに連通し、連絡溝７３ｂは後方溝７４ｂに連通しており、インキタンク８１ａ内のインキ減少に伴い、空気溝７ｂを通して空気をインキタンク８１ａ内に取り込むことができる構造としてある。
【００１５】
また、ペン芯７は、中間部のペン体６と隣設させる上面を除いた全周に突条７ｅを形成してあり、ペン体６及びペン芯７を首部材３の前方開口部３ａに挿着した際に、ペン体６の上側面が首部材３の内周面３ｅに密着し、ペン芯７の突条７ｅが圧縮変形されて首部材３の内周面３ｅに密着し、結果、インキ溝７ａと空気溝７ｂとを除き、インキタンク８１ａと外部とを流通できる経路は存在しない。
【００１６】
次に、図５と図６を用いて、インキタンク内にインキを吸入する吸入操作について説明を行う。図５は、インキ瓶よりインキを吸入する状態を示す図である。図６は、インキ瓶よりインキを吸入した状態を示す図である。
図に示すように、首部材３から軸筒本体４を取り外すことで、インキ吸入機構８の回転操作部８４が操作できる状態となり、回転操作部８４を回転することで弁体８２を前進させた状態にして、ペン体６及びペン芯７をインキ瓶２００のインキ３００中に浸け、回転操作部８４を逆回転することで弁体８２を後退させてインキタンク８１ａ内を負圧にし、ペン芯７を通してインキ瓶２００内のインキ３００をインキタンク８１ａ内に吸入することができる。
本実施例の万年筆１は、前述の通り、ペン体６の上側面が首部材３の内周面３ｅに密着し、ペン芯７の突条７ｅが圧縮変形されて首部材３の内周面３ｂに密着していることから、弁体８２が後退してインキタンク８１ａ内が負圧になる状態において、首部材３の内周面３ｅとペン体６及びペン芯７との間から空気が入り込むことはなく、軸筒２の首部材３をインキ瓶２００のインキ３００に浸けることなく、効率よくインキを吸入することができた。
【符号の説明】
【００１７】
１…万年筆、
２…軸筒、
３…首部材、３ａ…前方開口部、３ｂ…外筒部、３ｃ…内筒部、３ｄ…隙間、３ｅ…内周面、
４…軸筒本体、
５…尾冠、
６…ペン体、
７…ペン芯、７ａ…インキ溝、７ｂ…空気溝、７１ｂ…前方溝、７２ｂ…中間溝、７３ｂ…連絡溝、７４ｂ……後方溝、７ｃ…前端面、７ｄ…後端面、７ｅ…突条、
８…インキ吸入機構、８ａ…前端部、８１…インキ収容筒、８１ａ…インキタンク、８２…弁体、８２ａ…後部開口、８３…押棒、８３ａ…雄螺子部、８４…回転操作部、８４ａ…雌螺子部、８４ｂ…大径部、８５…保持筒、８５ａ…内段、８６…パッキン、
２００…インキ瓶、
３００…インキ。
【図１】
2018052069.tif 000003
【図２】
2018052069.tif 000004
【図３】
2018052069.tif 000005
【図４】
2018052069.tif 000006
【図５】
2018052069.tif 000007
【図６】
2018052069.tif 000008